(57)【要約】【課題】架台に取り付けられる支持脚の本数を削減することができ、且つ支持強度を低下させないユニットバスの支持構造を提供する。【解決手段】第１水平フレームと、前記第１水平フレームの下部に取り付けられ、第１支持脚を有する第１鉛直フレームと、を有する洗い場架台と、第２水平フレームと、前記第２水平フレームの下部に取り付けられ、第２支持脚を有する第２鉛直フレームと、を有する浴槽架台と、前記洗い場架台と前記浴槽架台とを連結する連結材と、を備え、前記連結材は、前記第２水平フレームの下面を支持する支持部と、前記第１水平フレームの上面に載置される載置部と、前記支持部と前記載置部とを連結する連結部と、を有することを特徴とするユニットバスの支持構造が提供される。【選択図】図１
2010007298.tif 000002
【特許請求の範囲】
【請求項１】
第１水平フレームと、前記第１水平フレームの下部に取り付けられ、第１支持脚を有する第１鉛直フレームと、を有する洗い場架台と、
第２水平フレームと、前記第２水平フレームの下部に取り付けられ、第２支持脚を有する第２鉛直フレームと、を有する浴槽架台と、
前記洗い場架台と前記浴槽架台とを連結する連結材と、
を備え、
前記連結材は、
前記第２水平フレームの下面を支持する支持部と、
前記第１水平フレームの上面に載置される載置部と、
前記支持部と前記載置部とを連結する連結部と、
を有することを特徴とするユニットバスの支持構造。
【請求項２】
前記連結材は、前記支持部の上方に前記載置部が配置された状態で、前記洗い場架台と前記浴槽架台とを連結することを特徴とする請求項１記載のユニットバスの支持構造。
【請求項３】
前記支持部及び前記載置部は、平面部を有していることを特徴とする請求項１または２に記載のユニットバスの支持構造。
【請求項４】
前記連結部は、前記支持部および前記載置部に対して、垂直に形成されていることを特徴とする請求項１〜３のいずれか１つに記載のユニットバスの支持構造。
【請求項５】
前記載置部は、前記第１鉛直フレームの延長線上に、配置されることを特徴とする請求項１〜４のいずれか１つに記載のユニットバスの支持構造。
【請求項６】
前記浴槽架台は、２つの前記第２鉛直フレームを有していることを特徴とする請求項１〜５のいずれか１つに記載のユニットバスの支持構造。
【発明の詳細な説明】
【技術分野】
【０００１】
本発明の態様は、一般的に、ユニットバスの支持構造に関する。
【背景技術】
【０００２】
ユニットバスにおいて、ユニットバスの全体の荷重を支持する金属製の架台には、浴槽の荷重を支持する浴槽架台と、洗い場床の荷重を支持する洗い場架台とがある。浴槽架台と洗い場床架台のそれぞれには、荷重を支持するために４つの支持脚が設けられており、ユニットバスとしては、８つの支持脚が設けられていた。
【０００３】
これに対し、特許文献１（特開２００５−２９０７２６号公報）には、洗い場架台の鉛直フレームの断面形状が、浴槽側に開口した凹状をしており、この凹状部の内部に、浴槽架台から洗い場側に向かって延在する水平フレームを挿入し、外側からボルト締めして、浴槽架台の洗い場側端辺を、洗い場架台に支持固定することで、浴槽架台の支持脚のうちの２個を省略する技術が公開されている。しかしながら、この構造では、ボルトの上部に局所的に大きなせん断力が働くため、ボルトが破損する恐れがあり強度的に不十分であった。
【特許文献１】特開２００５−２９０７２６号公報
【発明の開示】
【発明が解決しようとする課題】
【０００４】
本発明の態様は、架台に取り付けられる支持脚の本数を削減することができ、且つ支持強度を低下させないユニットバスの支持構造を提供する。
【課題を解決するための手段】
【０００５】
本発明の一態様によれば、第１水平フレームと、前記第１水平フレームの下部に取り付けられ、第１支持脚を有する第１鉛直フレームと、を有する洗い場架台と、第２水平フレームと、前記第２水平フレームの下部に取り付けられ、第２支持脚を有する第２鉛直フレームと、を有する浴槽架台と、前記洗い場架台と前記浴槽架台とを連結する連結材と、を備え、前記連結材は、前記第２水平フレームの下面を支持する支持部と、前記第１水平フレームの上面に載置される載置部と、前記支持部と前記載置部とを連結する連結部と、を有することを特徴とするユニットバスの支持構造が提供される。
【発明の効果】
【０００６】
本発明の態様によれば、架台に取り付けられる支持脚の本数を削減することができ、且つ支持強度を低下させないユニットバスの支持構造が提供される。
【発明を実施するための最良の形態】
【０００７】
第１の発明は、第１水平フレームと、前記第１水平フレームの下部に取り付けられ、第１支持脚を有する第１鉛直フレームと、を有する洗い場架台と、第２水平フレームと、前記第２水平フレームの下部に取り付けられ、第２支持脚を有する第２鉛直フレームと、を有する浴槽架台と、前記洗い場架台と前記浴槽架台とを連結する連結材と、を備え、前記連結材は、前記第２水平フレームの下面を支持する支持部と、前記第１水平フレームの上面に載置される載置部と、前記支持部と前記載置部とを連結する連結部と、を有することを特徴とするユニットバスの支持構造である。  
このユニットバスの支持構造によれば、浴槽架台の水平フレーム下面を支持する支持部と、洗い場架台の水平フレーム上面に載置される載置部と、を有する連結材を介して、浴槽架台の一端を洗い場架台に支持する構造であるため、連結材全体で浴槽架台の荷重を支持することが可能となるため、充分な強度を確保することができる。これにより、架台に取り付けられる支持脚の本数を削減することができ、且つ支持強度を低下させないユニットバスの支持構造が提供される。
【０００８】
また、第２の発明は、第１の発明において、前記連結材は、前記支持部の上方に前記載置部が配置された状態で、前記洗い場架台と前記浴槽架台とを連結することを特徴とするユニットバスの支持構造である。  
このユニットバスの支持構造によれば、浴槽架台の加重は、第１水平フレームに対して、下向きの方向に、懸吊状態で印加され、加重の印加方向が安定し、より強度が高まる。
【０００９】
また、第３の発明は、第１の発明または第２の発明において、前記支持部及び前記載置部は、平面部を有していることを特徴とするユニットバスの支持構造である。  
このユニットバスの支持構造によれば、平面部の全体で、浴槽架台の加重を分散して支持することができ、さらに高い強度を実現することができる。
【００１０】
また、第４の発明は、第１〜第３のいずれか１つの発明において、前記連結部は、前記支持部および前記載置部に対して、垂直に形成されていることを特徴とするユニットバスの支持構造である。  
このユニットバスの支持構造によれば、加重が加わる支持部と載置部とを最短距離で連結することができ、さらに高い強度を得ることが可能となる。このことから、架台の支持強度をさらに大きくすることが可能となる。
【００１１】
また、第５の発明は、第１〜第４のいずれか１つの発明において、前記載置部は、前記第１鉛直フレームの延長線上に、配置されることを特徴とするユニットバスの支持構造である。  
このユニットバスの支持構造によれば、浴槽架台の荷重を、第１支持脚が設置される設置面に最短距離で伝達することが可能となる。このことから、浴槽架台の支持強度をさらに高くすることが可能となる。
【００１２】
また、第６の発明は、第１〜第５のいずれか１つの発明において、前記浴槽架台は、２つの前記第２鉛直フレームを有していることを特徴とするユニットバスの支持構造である。  
このユニットバスの支持構造によれば、従来設けられていた洗い場側の端面の第２鉛直フレームを省略でき、架台に取り付けられる支持脚の本数を削減することができ、且つ支持強度の低下もない。
【００１３】
以下、本発明の実施の形態について図面を参照しつつ説明する。なお、各図面中、同様の構成要素には同一の符号を付して詳細な説明は適宜省略する。  
図１〜図６は、本発明の実施形態に係るユニットバスの支持構造を例示する模式図である。  
すなわち、図１は、本実施形態に係るユニットバスを斜め上方から眺めた斜視模式図であり、図２は、図１のＡ方向から眺めた側面模式図であり、図３は、図１のＡ方向から眺めた拡大した側面模式図であり、図４は、斜め下方向から眺めた斜視模式図である。図５は、要部を拡大して例示する斜視模式図である。そして、図６は、本実施形態に係るユニットバスの支持構造に用いられる連結材の構造を例示する斜視模式図である。
【００１４】
図１〜図４に表したように、本発明の実施形態に係るユニットバスの支持構造においては、第１水平フレーム１１と、第１水平フレーム１１の下部に取り付けられ、第１支持脚１２を有する第１鉛直フレーム１３と、を有する洗い場架台１０と、第２水平フレーム２１と、第２水平フレーム２１の下部に取り付けられ、第２支持脚２２を有する第２鉛直フレーム２３と、を有する浴槽架台２０と、洗い場架台１０と浴槽架台２０とを連結する連結材３０と、を備える。
【００１５】
そして、図６に表したように、連結材３０は、第２水平フレーム２１の下面を支持する支持部３１と、第１水平フレーム１１の上面に載置される載置部３２と、支持部３１と載置部３２とを連結する連結部３３と、を有する。
【００１６】
連結材３０においては、例えば、連結部３３の一端に、連結部３３の延在方向に対して直交する方向に延在する支持部３１が設けられ、連結部３３の他端に、支持部３１の延在する方向と逆方向に延在する載置部３２が設けられている。すなわち、連結材３０は、クランク状の構造を有している。
【００１７】
図５に表したように、連結材３０の支持部３１は、浴槽架台２０の第２フレーム２１の一端２１ａを下面から支持する。そして、連結材３０の載置部３２は、洗い場架台１０の第１水平フレーム１１の上面に載置される。
【００１８】
これにより、連結材３０全体で浴槽架台２０の荷重を支持することが可能となるため、充分な強度を確保することができる。
【００１９】
すなわち、連結材３０において、支持部３１及び載置部３２の面の全体で、浴槽架台２０の加重を分散して支持することができ、高い強度を実現している。
【００２０】
なお、図１〜図５に表したように、２つの第２水平フレーム２１どうしの間にビーム材２４が設けられ、その上に浴槽５０を設置することができる。  
また、図１〜図５に表したように、第１鉛直フレーム１３は第１支持脚１２を有し、第２鉛直フレーム２３は第２支持脚２２を有している。これら第１及び第２支持脚１２、２２には、例えば、ねじが設けられ、高さを調整できるようになっている。これにより、洗い場架台１０と浴槽架台２０とを、水平に、また、安定して、支持する。そして、第１及び第２支持脚１２、２２に加えられる加重を分散して支持することで、強度を高められるようになっている。
【００２１】
（比較例）
図７は、比較例のユニットバスの支持構造を例示する模式図である。  
図７に表したように、比較例のユニットバスの支持構造においては、洗い場架台１０の第１水平フレーム１１に、浴槽５０側に開口した凹状の鉛直フレーム１３ｂが設けられ、その鉛直フレームの凹状部の内部に、浴槽架台２０の第２水平フレーム２１が挿入されている。そして、第２水平フレーム２１は、鉛直フレーム１３ｂの外側から、ボルト１５によって締め付けられ固定されている。これにより、浴槽架台２０の洗い場側の端辺を、洗い場架台１０に支持固定することで、浴槽架台の支持脚のうちの２個を省略している。
【００２２】
しかしながら、この構造では、ボルト１５の上部のみで浴槽架台２０の加重を支えることとなり、ボルト１５の上部に局所的に大きなせん断力が働く。具体的には、ボルト１５の上部と、鉛直フレーム１３ｂの２つの凹状の壁部と、が接する極めて狭い面積に全ての加重が加えられることになる。このため、ボルト１５が破損する恐れがあり強度的に不十分である。
【００２３】
さらに、この比較例の構造の場合、洗い場架台１０の鉛直フレーム１３ｂに、浴槽架台２０の第２水平フレーム２１を挿入して、鉛直フレーム１３ｂ側面で、ボルト１５を締め付ける作業スペースが必要であり、設置場所を制約し、また作業効率を低下させる。
【００２４】
そして、比較例の場合は、鉛直フレーム１３ｂは、第２水平フレーム２１を挿入するために、その断面は、一方が開口した凹状形状とする必要がある。すなわち、鉛直フレーム１３ｂの断面形状に制約がある。そして、断面が凹状形状の鉛直フレーム１３ｂは、例えば断面が長方形の角柱等に比べて強度が弱い。この時、鉛直フレーム１３ｂの強度を維持するために、例えば厚みが厚い材料を鉛直フレーム１３ｂに用いる必要があり、コスト高になり、また重力も増え、問題である。
【００２５】
これに対し、既に説明したように、本発明の実施形態に係るユニットバスの支持構造においては、連結材３０において、支持部３１及び載置部３２の面の全体で、浴槽架台２０の加重を分散して支持することができ、高い強度を実現している。
【００２６】
さらに、本実施形態の場合には、鉛直フレーム側面でボルトを締め付ける作業を必要としないので、設置場所の制約が解除され、任意の設置場所に対応でき、さらに、作業効率が向上する。
【００２７】
そして、本実施形態の場合は、第１鉛直フレーム１３の断面形状に対する制約がなく、例えば、四角柱のパイプを使用することができる。さらには、円柱形状とすることもできる。これにより、断面形状の制約から発生する強度低下の問題がなく、強度の高い支持構造が実現できる。
【００２８】
なお、本実施形態に類似する構造において、もし、連結材３０の支持部３１が、浴槽架台２０の第２フレーム２１の一端２１ａを上面や側面から支持する場合には、一端２１ａと支持部３１を連結する部材が必要であり、また強度の低下を招く。これに対し、本実施形態の構造では、連結材３０の支持部３１は、浴槽架台２０の第２フレーム２１の一端２１ａを下面から支持するので、上記の部材を必要とせず、しかも高い強度を実現できる。
【００２９】
また、本実施形態に類似する構造において、もし、連結材３０の載置部３２が、洗い場架台１０の第１水平フレーム１１の下面または側面にのみ設けられる場合には、載置部３２を第１水平フレーム１１に取り付ける部材が必要であり、また、強度の低下を招く。これに対し、本実施形態の構造では、連結材３０の載置部３２は、洗い場架台１０の第１水平フレーム１１の上面に載置されるので、上記の部材を必要とせず、しかも高い強度を実現できる。
【００３０】
すなわち、本実施形態において、連結材３０の支持部３１は、浴槽架台２０の第２フレーム２１の一端２１ａを下面から支持し、連結材３０の載置部３２は、洗い場架台１０の第１水平フレーム１１の上面に載置されることによって、部材を省略でき、高い強度を実現している。
【００３１】
さらに、図６に表したように、連結材３０の支持部３１及び載置部３２には、平面部を設けることができる。この平面部の全体で、浴槽架台２０の加重を分散して支持することができ、さらに高い強度を実現する。この平面部の面積が広いと、加重がより分散されるので、強度が高まる。この平面部の大きさは、連結材３０の材料の強度や厚さ等と共に、実用的に十分な強度が得られるように設計することができる。
【００３２】
ただし、本発明の実施形態はこれに限らず、例えば載置部３２に平面部が設けられておらず、載置部３２が曲面であっても良い。すなわち、例えば、第１水平フレーム１１が円柱状をしている場合は、載置部３２の形状をこの円柱の外周に適合するような曲面にすることで、積載部３２の面で加重を支えることができ、この場合も強い強度を実現できる。
【００３３】
また、連結部３０は、支持部３１及び載置部３２に対して、垂直に設けることができる。これにより、加重が加わる支持部３１と載置部３２とを最短距離で連結することができ、さらに高い強度を得ることができる。
【００３４】
また、図５に表したように、載置部３２は、第１鉛直フレーム１３の延長線上に、配置することができる。これにより、浴槽架台２０の荷重を、第１支持脚１２が設置される設置面に最短距離で伝達することが可能となる。このことから、浴槽架台２０の支持強度をさらに高くすることが可能となる。
【００３５】
そして、浴槽架台２０は、２つの第２鉛直フレーム２３を有している。すなわち、従来設けられていた洗い場側の端面の第２鉛直フレームを省略できる。
【００３６】
なお、図６に表したように、本実施形態に係るユニットバスの支持構造において、連結材３０は、板状の構造体をクランク状の形状に折り曲げて、支持部３１、連結部３３及び載置部３２を一体として形成することができる。これにより、強い強度の連結材３０が実現できる。ただし、本発明の実施形態においては、これに限らず、支持部３１、連結部３３及び載置部３２は、別の部材として構成され、これを組み合わせて連結材３０を形成しても良い。
【００３７】
また、図６の例では、支持部３１及び載置部３２は、連結部３３の延在方向に対して直角の方向に延在して設けられているが、本発明の実施形態においては、これに限らず、支持部３１及び載置部３２は、連結部３３の延在方向に対して非平行であれば良い。
【００３８】
なお、連結材３０は、第１フレーム１１及び第２フレーム２１を連結するものであるので、第１水平フレーム１１及び第２水平フレーム２１の少なくともいずれかと一体となっていても良い。すなわち、例えば、第２水平フレーム２１の一端２１ａの下に、連結材３０の支持部３１が例えば溶接などの方法によって結合され、第２水平フレーム２１と連結材３０とが一体化されていても良い。また同様に、例えば、第１水平フレーム１１の上部に、連結材３０の載置部３２が例えば溶接などの方法によって結合され、第１水平フレーム１１と連結材３０とが一体化されていても良い。
【００３９】
なお、図１〜図５に表したように、第１鉛直フレーム１３及び第２鉛直フレーム２３は、それぞれ、第１水平フレーム１１及び第２水平フレームの下面に設置される。例えば、第１鉛直フレーム１３及び第２鉛直フレーム２３が、第１水平フレーム１１及び第２水平フレームの側面に設置される場合は、その結合部分（例えば溶接により結合される）にせん断応力が加わるため、耐久性に問題がある。これに対し、本実施形態においては、第１鉛直フレーム１３及び第２鉛直フレーム２３は、それぞれ、第１水平フレーム１１及び第２水平フレーム２１の下面に設置されるので、結合部にせん断応力が加わらないので高い耐久性を発揮できる。
【００４０】
図８は、本発明の実施形態に係るユニットバスの支持構造に用いる別の連結材の構造を例示する斜視模式図である。  
図８に表したように、本発明の実施形態に係るユニットバスの支持構造に用いる別の連結材３０においては、載置部３２の連結部３３とは逆の端部に、連結部３３の延在方向に延在する屈曲部３１ａが設けられている。そして、載置部３２の延在方向の下側の長さ、すなわち、連結部３３と屈曲部３１ａとの間の幅は、第１水平フレームの幅に適合するように設計されている。そして、連結部３３と屈曲部３１ａとで、第１水平フレームを挟み込むようにして、連結材３０は第１水平フレームの上面に載置される。この場合、連結部３３と屈曲部３１ａとの間の幅や屈曲部３１ａの長さ等を適切に設計することにより、連結材３０は、第１水平フレームの上に、例えばボルトなどの固定用の部材を用いることなく、実用的に十分な位置精度と強度で、連結することができる。
【００４１】
なお、この場合も、載置部３２は平面を有しているので、その平面の全体で、浴槽架台２０の加重を支えるので、高い強度が得られる。
【００４２】
なお、上記の実施形態において、連結材３０の連結部３３の長さによって、洗い場床に対する浴槽リムの高さを変更できる。浴槽の深さに対しては利用者の好みがあり、各種の深さの浴槽がある。一方、浴槽またぎ高さ（洗い場の上面と浴槽リムの間の高さ）は大き過ぎず小さ過ぎないように、所望の高さが決まっている。すなわち、各種の浴槽の深さに対応しつつ、適正の浴槽またぎ高さを実現するために、洗い場架台１０と浴槽架台２０の高さの差、例えば、第１水平フレーム１１及び第２水平フレーム２１の高さの差を任意に調整できることは実用上非常に重要である。この時、本実施形態においては、連結材３０の連結部３３の長さを変えるだけで、浴槽またぎ高さを簡単に変更でき、実用上非常に有用なユニットバスの支持構造が提供できる。
【００４３】
なお、図７に例示した比較例の場合には、洗い場架台１０と浴槽架台２０との高さの差を任意に調整するためには、鉛直フレーム１３ｂにボルト１５を貫通させる多数の穴を予め設ける必要があり、強度の低下を招く。すなわち、比較例の場合、洗い場架台１０と浴槽架台２０の高さの差を任意に調整することは非常に困難である。
【００４４】
また、図１〜図５で表したように、上記説明した実施形態のユニットバスの支持構造においては、連結材３０は、支持部３１の上方に載置部３２が配置された状態で、洗い場架台１０と浴槽架台２０とを連結している。すなわち、第２水平フレーム２１の下面が、第１水平フレーム１１の上面よりも下にある構造である。これにより、浴槽架台２０の加重は、第１水平フレーム１１に対して、下向きの方向に、懸吊状態で印加され、加重の印加方向が安定し、より強度が高まる。
【００４５】
ただし、本発明の実施形態は、上記に限らず、支持部３１と載置部３２との上下の位置関係は任意であり、例えば、連結材３０は、支持部３１の下方に載置部３２が配置された状態で、洗い場架台１０と浴槽架台２０とが連結されても良い。
【００４６】
図９は、本発明の実施形態に係る別のユニットバスの支持構造の構造を例示する模式図である。  
図１０は、本発明の実施形態に係る別のユニットバスの支持構造に用いられる連結材の構造を例示する斜視模式図である。  
図９に表したように、本発明の実施形態に係る別のユニットバスの支持構造においては、連結材３０は、支持部３１の下方に載置部３２が配置された状態で、洗い場架台１０と浴槽架台２０とを連結している。
【００４７】
この時、図１０に表したように、支持部３１が載置部３２よりも上にある連結材３０を用いる。
【００４８】
すなわち、図９に表したように、浴槽５０の深さが浅い場合、浴槽またぎ高さＴを適切な値に設定するためには、第２水平フレーム２１の下面を、第１水平フレーム１１の上面よりも上方に設置する必要がある場合がある。このとき、図９に表したように、連結材３０が、支持部３１の下方に載置部３２が配置された状態で、洗い場架台１０と浴槽架台２０とを連結することにより、浴槽またぎ高さＴを適切な値に設定することができる。
【００４９】
なお、図７に例示した比較例の場合には、内槽が浅い浴槽を浴槽架台の上に載置しようとした場合、浴槽架台２０は少なくとも洗い場架台１０の第１水平フレーム１１よりも上方に配置することができないため、浴槽底面と浴槽架台２０の上面との間に大きな隙間が生じる。この場合は、浴槽底面と浴槽架台２０との間にスペーサーなどを設ける必要が生じることになり、構造が複雑化し好ましくない。
【００５０】
これに対し、本実施形態においては、支持部３１の下方に載置部３２が配置された状態で連結材３０を設置することで、内槽が浅い浴槽であっても浴槽底面と浴槽架台２０との間に大きな隙間が生じることがないユニットバスの支持構造を提供することができる。
【００５１】
なお、この場合も、連結材３０の連結部３３の長さを変えることで、浴槽またぎ高さを簡単に変更でき、実用上非常に有用なユニットバスの支持構造が提供できる。
【００５２】
なお、図１０に例示した連結材３０において、支持部３１と載置部３２とが実質的に同じ形状を有している場合は、その上下を逆転させて使用することにより、支持部３１の下方に載置部３２が配置される状態、及び、支持部３１の上方に載置部３２が配置される状態、のいずれにも対応させることができ、さらに便利である。
【００５３】
図１１は、本発明の実施形態に係る別のユニットバスの支持構造を例示する模式図である。  
すなわち、同図は、斜め下方向から眺めた斜視模式図である。  
図１１に表したように、第１水平フレーム１１は４本あり、枠状に組み合わされている。これにより、洗い場架台１０の強度がより向上する。このような構造の洗い場架台１０と上記の連結材３０を組み合わせることにより、より強度が高いユニットバスの支持構造を提供できる。
【００５４】
以上、具体例を参照しつつ、本発明の実施の形態について説明した。しかし、本発明は、これらの具体例に限定されるものではない。例えば、ユニットバスの支持構造を構成する各要素の具体的な構成に関しては、当業者が公知の範囲から適宜選択することにより本発明を同様に実施し、同様の効果を得ることができる限り、本発明の範囲に包含される。  また、各具体例のいずれか２つ以上の要素を技術的に可能な範囲で組み合わせたものも、本発明の要旨を包含する限り本発明の範囲に含まれる。
【００５５】
その他、本発明の実施の形態として上述したユニットバスの支持構造を基にして、当業者が適宜設計変更して実施し得る全てのユニットバスの支持構造も、本発明の要旨を包含する限り、本発明の範囲に属する。
【００５６】
その他、本発明の思想の範疇において、当業者であれば、各種の変更例及び修正例に想到し得るものであり、それら変更例及び修正例についても本発明の範囲に属するものと了解される。
【図面の簡単な説明】
【００５７】
【図１】本発明の実施形態に係るユニットバスの支持構造を例示する模式図である。
【図２】図１のＡ方向から眺めた側面模式図である。
【図３】図１のＡ方向から眺めた拡大した側面模式図である。
【図４】実施形態に係るユニットバスの支持構造を例示する模式図である。
【図５】実施形態に係るユニットバスの支持構造の要部を拡大して例示する斜視模式図である。
【図６】実施形態に係るユニットバスの支持構造に用いられる連結材の構造を例示する斜視模式図である。
【図７】比較例のユニットバスの支持構造を例示する模式図である。
【図８】実施形態に係るユニットバスの支持構造に用いる別の連結材の構造を例示する斜視模式図である。
【図９】実施形態に係る別のユニットバスの支持構造の構造を例示する模式図である。
【図１０】実施形態に係る別のユニットバスの支持構造に用いられる連結材の構造を例示する斜視模式図である。
【図１１】実施形態に係る別のユニットバスの支持構造を例示する模式図である。
【符号の説明】
【００５８】
１０ 洗い場架台、  １１ 第１水平フレーム、  １２ 第１支持脚、  １３ 第１鉛直フレーム、  １３ｂ 鉛直フレーム、  １５ ボルト、  ２０ 浴槽架台、  ２１ 第２水平フレーム、  ２１ａ 一端、  ２２ 第２支持脚、  ２３ 第２鉛直フレーム、  ２４  ビーム材、  ３０ 連結材、  ３１ 支持部、  ３１ａ 屈曲部、  ３２ 載置部、  ３３ 連結部、  ４０ 洗い場床、  ５０ 浴槽
【図１】
2010007298.tif 000003
【図２】
2010007298.tif 000004
【図３】
2010007298.tif 000005
【図４】
2010007298.tif 000006
【図５】
2010007298.tif 000007
【図６】
2010007298.tif 000008
【図７】
2010007298.tif 000009
【図８】
2010007298.tif 000010
【図９】
2010007298.tif 000011
【図１０】
2010007298.tif 000012
【図１１】
2010007298.tif 000013